(57)【要約】【課題】冷凍室の使い勝手を向上した冷蔵庫を提供する。【解決手段】内箱と、外箱と、冷蔵室と、前記冷蔵室の下段にある製氷室と、前記製氷室の横にある冷凍室と、前記製氷室と前記冷凍室とを仕切る仕切部材と、を備え、前記冷凍室内の下部容器は、前記冷凍室の扉から前後方向に伸びる枠体に支持され、前記枠体は、前記内箱および前記仕切部材に対して摺動可能に支持された冷蔵庫において、前記下部容器の上段に、前記下部容器より奥行きの短い上部容器を有し、前記扉が閉じた状態のとき、前記上部容器は前記下部容器に支持されており、前記扉が開いた状態であって、前記下部容器に対して前記上部容器を背面側に押し込んだとき、前記上部容器は前記下部容器だけでなく前記内箱および前記仕切部材にも支持される。【選択図】図９
2020118343.tif 000002
【特許請求の範囲】
【請求項１】
内箱と、外箱と、
冷蔵室と、前記冷蔵室の下段にある製氷室と、前記製氷室の横にある冷凍室と、前記製氷室と前記冷凍室とを仕切る仕切部材と、を備え、
前記冷凍室内の下部容器は、前記冷凍室の扉から前後方向に伸びる枠体に支持され、
前記枠体は、前記内箱および前記仕切部材に対して摺動可能に支持された冷蔵庫において、
前記下部容器の上段に、前記下部容器より奥行きの短い上部容器を有し、
前記扉が閉じた状態のとき、前記上部容器は前記下部容器に支持されており、
前記扉が開いた状態であって、前記下部容器に対して前記上部容器を背面側に押し込んだとき、前記上部容器は前記下部容器だけでなく前記内箱および前記仕切部材にも支持されることを特徴とする冷蔵庫。
【請求項２】
請求項１において、
前記上部容器の後端が、前記下部容器の後端よりも後方に押し込んだ状態で扉を閉めた場合、前記上部容器が前記下部容器に対して前方へ戻されて基本位置となり、この状態で扉を開けた場合、前記上部容器を前記基本位置から更に前方へ移動可能であることを特徴とする冷蔵庫。
【請求項３】
請求項２において、
前記下部容器には、前記上部容器の摺動部を前記基本位置で支える溝部を有し、前記溝部の壁が傾斜していることを特徴とする冷蔵庫。
【請求項４】
請求項３において、前記下部容器の前壁に近接する位置まで、前記上部容器の前壁を移動可能なことを特徴とする冷蔵庫。
【発明の詳細な説明】
【技術分野】
【０００１】
本発明は、冷蔵庫に関する。
【背景技術】
【０００２】
特許文献１には、複数の冷凍室を備え、一方の冷凍室の内部に上下２つの貯蔵容器を有する冷蔵庫が記載されている。
【先行技術文献】
【特許文献】
【０００３】
【特許文献１】特開２０１５−１４５７４７号公報
【発明の概要】
【発明が解決しようとする課題】
【０００４】
しかしながら、前記した特許文献１には、冷凍室内には、夫々の奥行き寸法が同等である下部容器及び上部容器が開示されている。下部容器の上部開口を上部容器により覆い、下部容器内を間接冷却する構成である。これにより、冷凍室の扉を引き出したときに、上部容器及び下部容器は常に一緒に庫外に引き出されるため、使用者の目的に合わせた使い方を提供することが困難であった。  
本発明は、冷凍室の使い勝手を向上した冷蔵庫を提供することを目的とする。
【課題を解決するための手段】
【０００５】
本発明は、内箱と、外箱と、冷蔵室と、前記冷蔵室の下段にある製氷室と、前記製氷室の横にある冷凍室と、前記製氷室と前記冷凍室とを仕切る仕切部材と、を備え、前記冷凍室内の下部容器は、前記冷凍室の扉から前後方向に伸びる枠体に支持され、前記枠体は、前記内箱および前記仕切部材に対して摺動可能に支持された冷蔵庫において、前記下部容器の上段に、前記下部容器より奥行きの短い上部容器を有し、前記扉が閉じた状態のとき、前記上部容器は前記下部容器に支持されており、前記扉が開いた状態であって、前記下部容器に対して前記上部容器を背面側に押し込んだとき、前記上部容器は前記下部容器だけでなく前記内箱および前記仕切部材にも支持される。
【発明の効果】
【０００６】
本発明によれば、冷凍室の使い勝手を向上した冷蔵庫を提供できる。
【図面の簡単な説明】
【０００７】
【図１】本実施形態に係る冷蔵庫を示す外観斜視図である。
【図２】冷凍室の内部を示す正面図である。
【図３】図２のＡ−Ａ線断面図である。
【図４】冷気供給部材を示す分解斜視図である。
【図５】製氷室と上段冷凍室に冷気を分配する冷気導入部材を示す上面図である。
【図６】（ａ）は図１のＢ−Ｂ線断面図、（ｂ）は図１のＣ−Ｃ線断面図である。
【図７】上段冷凍室５０内を示す斜視図。
【図８】下部貯蔵容器５３、上部貯蔵容器５４、トレイ部材５５等の分解斜視図。
【図９】（ａ）は上段冷凍室扉５の全開時で、上部貯蔵容器５４と下部貯蔵容器５３の位置関係が第一基本位置を示す右側面図。（ｂ）は上段冷凍室扉５の全開時で、上部貯蔵容器５４と下部貯蔵容器５３の位置関係が第二基本位置を示す右側面図。（ｃ）は上段冷凍室扉５の全開時で、上部貯蔵容器５４を第一基本位置よりも後方に移動させた状態を示す右側面図。
【図１０】（ａ）は上段冷凍室扉５の閉鎖時で、上部貯蔵容器５４と下部貯蔵容器５３の位置関係が第一基本位置を示す右側面図。（ｂ）は上段冷凍室扉５の閉鎖時で、上部貯蔵容器５４と下部貯蔵容器５３の位置関係が第二基本位置を示す右側面図。
【発明を実施するための形態】
【０００８】
以下、本発明を実施するための形態（本実施形態）を説明する。ただし、本実施形態は、以下の内容に何ら制限されず、本発明の要旨を損なわない範囲内で任意に変更して実施可能である。また、以下では、図１に示す方向を基準として説明する。
【０００９】
図１は、本実施形態に係る冷蔵庫を示す外観斜視図である。
【００１０】
図１に示すように、冷蔵庫１００は、冷蔵庫本体１と、冷蔵庫本体１内を冷却する冷気を生成する冷凍サイクルＦ（図３参照）と、生成された冷気を冷凍室に供給する冷気供給部材（冷気供給路）Ｒ（図３参照）と、を備えて構成されている。
【００１１】
冷蔵庫１００は、冷蔵庫本体１の正面に、冷蔵室左扉２と、冷蔵室右扉３と、製氷室扉４と、上段冷凍室扉５と、下段冷凍室扉６と、野菜室扉７と、を備えている。
【００１２】
冷蔵室左扉２および冷蔵室右扉３は観音開き可能に構成され、これらと冷蔵庫本体１とにより形成される空間に、冷蔵室３０が形成されている。
【００１３】
また、製氷室扉４、上段冷凍室扉５、下段冷凍室扉６、および野菜室扉７は手前方向に引き出し可能に構成されている。そして、これらと冷蔵庫本体１とにより形成される空間に、それぞれ、製氷室（第１冷凍室、冷凍室）４０、上段冷凍室（第２冷凍室、冷凍室）５０、下段冷凍室６０および野菜室７０が形成されている。
【００１４】
冷蔵室左扉２、冷蔵室右扉３、製氷室扉４、上段冷凍室扉５、下段冷凍室扉６および野菜室扉７は、断熱扉である。各扉２〜７は、例えば、表面に設けられた外板と、外板の周縁に設けられた扉枠と、扉枠の裏面（背面）に設けられた内板と、外板と扉枠と内板とで形成された空間に発泡液を充填することで形成された発泡断熱材と、を備えて構成されている。
【００１５】
発泡断熱材は、硬質ウレタンフォームで形成されている。この硬質ウレタンフォームは、各扉２〜７の内側の空間内に注入したウレタンフォーム原液（発泡断熱材の原料液）が発泡した後、硬化して形成されるものである。ちなみに、ウレタンフォーム原液としては、例えば、ポリエーテルポリオールに、シクロペンタン、水などの発泡剤、さらには触媒、整泡剤などの助剤をプレミックスした液と、イソシアネート液とを混合した液体が挙げられる。
【００１６】
冷蔵庫本体１は、内箱１１（図２、図３参照）と外箱１２とを組み合わせたものであり、その間に断熱部材や真空断熱材が挟まれ、断熱箱体を構成している。外箱１２は、薄い鋼板を門型に折り曲げて形成された天板１ａおよび左右の側板１ｂ，１ｃ（側板１ｃは、図２参照）と、別部材で構成された背板（不図示）と、別部材で構成された底板（不図示）と、によって構成されている。
【００１７】
また、真空断熱材は、天板１ａの裏面（内壁面）、側板１ｂ，１ｃの裏面（内壁面）、各扉２〜７の裏面（内壁面）に設けられている。真空断熱材は、その材質は特に限定されないが、一例を挙げると、多孔質構造のグラスウール等の芯材をラミネートフィルムで真空パックして内部を減圧して封止した断熱材から成る。気体熱伝導率が略ゼロであるため、優れた断熱性能を有している。また、真空断熱材は、平板状に形成され、天板１ａ、側板１ｂ，１ｃ、各扉２〜７の裏面側に接着固定されている。
【００１８】
図２は、冷凍室の内部を示す正面図である。なお、図２は、冷凍室（製氷室４０、上段冷凍室５０および下段冷凍室６０）のみを示し、製氷室扉４、上段冷凍室扉５および下段冷凍室扉６を取り外した状態である。また、図２は、下段冷凍室６０に収納される下段収納容器６１、中段収納容器６２および上段収納容器６３を図示し、製氷室４０と上段冷凍室５０の各収納容器の図示を省略している。
【００１９】
図２に示すように、冷蔵庫本体１は、製氷室４０および上段冷凍室５０と、下段冷凍室６０との間に、左右方向（幅方向）に延在して側板１ｂ，１ｃに連結される枠体１３を備えている。また、冷蔵庫本体１は、製氷室４０および上段冷凍室５０と、冷蔵室３０（図１参照）との間に、左右方向（幅方向）に延在して側板１ｂ，１ｃと連結される枠体１４を備えている。また、冷蔵庫本体１は、製氷室４０と上段冷凍室５０との間に、鉛直方向（上下方向）に延在する枠体１５を備えている。また、枠体１５は、枠体１３と枠体１４との間に位置している。また、冷蔵庫本体１は、下段冷凍室６０と野菜室７０（図１参照）との間に、左右方向（幅方向）に延在して側板１ｂ，１ｃに連結される枠体１９を備えている。
【００２０】
製氷室４０と上段冷凍室５０は、左右に並んで配置されている。また、製氷室４０の容積は、上段冷凍室５０の容器よりも小さく構成されている。
【００２１】
製氷室４０には、製氷室扉４を前後方向にスライド可能に支持するレール部材４１ａ，４１ｂが設けられている。レール部材４１ａは、内箱１１の左側の側面下部に設けられている。レール部材４１ｂは、製氷室４０の右側下部に設けられている。
【００２２】
上段冷凍室５０には、上段冷凍室扉５の裏面側に設けられた左右一対の扉枠５２ａ，５２ｂを前後方向にスライド可能に支持するレール部材５１ａ，５１ｂが設けられている。レール部材５１ａは、上段冷凍室５０の左側下部（仕切部材１６）に設けられている。レール部材５１ｂは、内箱１１の右側の側面下部に設けられている。
【００２３】
下段冷凍室６０には、下段収納容器６１、中段収納容器６２および上段収納容器６３が収納される。下段収納容器６１は、下段冷凍室扉６（図１参照）の左右両側から後方に延びるアーム部（不図示）に保持される。冷蔵庫本体１は、下段収納容器６１をスライド可能にするレール部材６１ａ，６１ｂが内箱１１の左右側面に設けられている。また、冷蔵庫本体１は、レール部材６１ａ，６１ｂの手前側に、下段収納容器６１のスライド動作を円滑にするためのローラ６１ｃ，６１ｄが回転自在に支持されている。
【００２４】
下段冷凍室６０には、中段収納容器６２をスライド可能に支持するレール部材６２ａ，６２ｂが内箱１１の左右側面に設けられている。また、下段冷凍室６０には、上段収納容器６３をスライド可能に支持するレール部材６３ａ，６３ｂが内箱１１の左右側面に設けられている。
【００２５】
図３は、図２のＡ−Ａ線断面図である。
【００２６】
図３に示すように、製氷室４０と上段冷凍室５０（図２参照）との間には、仕切部材（縦仕切部材）１６が設けられている。この仕切部材１６は、前後方向に沿って形成され、かつ、枠体１５と前後方向において重なる位置に形成されている。
【００２７】
仕切部材１６は、枠体１５の背面の下部から後方に向けて直線状に延びている。また、仕切部材１６は、前記レール部材４１ｂ，５１ａ（図２参照）が一体に形成されたレール支持部１６ａと、レール支持部１６ａから上方に向けて延びる連結部１６ｂ，１６ｃ，１６ｄと、を有して構成されている。なお、仕切部材１６は、レール支持部１６ａと連結部１６ｂ，１６ｃ，１６ｄが合成樹脂によって一体に形成されている。
【００２８】
連結部１６ｂ，１６ｃは、冷蔵室３０（図１参照）と冷凍室（製氷室４０、上段冷凍室５０）とを仕切る断熱仕切部材１７の下面に固定されている。なお、連結部１６ｄは、後記する冷気供給部材Ｒの第２冷気導入路２２ｃの下面に固定されている。なお、本実施形態では、連結部１６ｂと連結部１６ｃとの間、連結部１６ｃと連結部１６ｄとの間、連結部１６ｄと冷気供給部材Ｒとの間が、空間ｓ１，ｓ２，ｓ３を介して製氷室４０と上段冷凍室５０とを連通している。しかし、製氷室４０と上段冷凍室５０とが連通せずに、壁で仕切られる構造であってもよい。
【００２９】
また、製氷室４０および上段冷凍室５０と下段冷凍室６０との間は、空間Ｓ４を介して連通している。
【００３０】
下段冷凍室６０に収納される下段収納容器６１は、前端から後端まで延びる大容量のものである。中段収納容器６２は、下段収納容器６１よりも前後方向の奥行きが短くかつ薄型に形成されている。上段収納容器６３は、中段収納容器６２よりも前後方向の奥行きが長くかつ薄型に形成されている。
【００３１】
冷凍サイクルＦは、圧縮機（図示せず）、凝縮器（図示せず）、キャピラリチューブ（減圧手段）８および冷却器（エバポレータ、蒸発器）９を含んで構成されている。冷却器９は、下段冷凍室６０の略背部に設けられた冷却器収納室９ｓに収納されている。なお、図示しない圧縮機は、断熱箱体の背面側の下部に設けられた機械室Ｑ（図１参照）に設置されている。機械室Ｑは、断熱箱体の外側に形成されている。
【００３２】
冷却器９は、銅製のフィン９ａを厚み方向（左右方向）に微小間隔で並べた積層体を上下方向に５段並べた積層体群と、この積層体群の各積層体を貫通する冷媒管９ｂと、を備えて構成されている。
【００３３】
また、冷却器９の下方には、除霜ヒータＨが設けられている。除霜ヒータＨによって除霜時に発生したドレン水は、樋（とい）９ｃに一旦落下し、ドレン孔９ｄを介して圧縮機（不図示）の上部に設けた蒸発皿（不図示）に溜められる。
【００３４】
また、冷却器９の上方には、送風ファン１８（プロペラファン、軸流ファン）が設けられている。この送風ファン１８は、冷却器９で生成された冷気（低温の空気）を後方から吸い込んで前方に向けて吐出させる。送風ファン１８にはファンカバー２１が取り付けられており、送風ファン１８から吐出された冷気を、上下左右方向に拡散させて、製氷室４０、上段冷凍室５０、下段冷凍室６０などに供給するようになっている。
【００３５】
また、送風ファン１８の鉛直方向（上下方向）の下方には、下段収納容器６１の後端６１ｅが位置している。また、下段収納容器６１の上端６１ｆよりも冷却器９の上端９ｆが下方に位置している。また、製氷室４０および上段冷凍室５０よりも下方に、送風ファン１８および冷却器９が収められている。
【００３６】
図４は、冷気供給部材を示す分解斜視図である。
【００３７】
図４に示すように、冷気供給部材Ｒは、送風ファン１８が取り付けられるファンベース（ベース部材）２０と、ファンカバー２１と、冷気導入部材２２と、が組み合わされて構成されている。
【００３８】
ファンベース２０は、略五角形状（略ベース型）に形成された平坦状の基部２０ｔを備えている。また、ファンベース２０は、送風ファン１８を基部２０ｔに固定するファン固定部２０ａと、ファンカバー２１を基部２０ｔに係止させるカバー係止部２０ｄと、を備えている。また、ファンベース２０は、冷凍庫内の冷気を取り込む取込口２０ｇを備えている。
【００３９】
また、ファンベース２０は、内箱１１（図２参照）の内壁に固定される。また、ファンベース２０の背面側（裏側）には、冷却器９（冷凍室冷却器）が配置される。換言すると、冷却器９は、内箱１１と外箱１２との間に形成された冷却器収納室９ｓに収納される。
【００４０】
ファン固定部２０ａは、送風ファン１８を係止して固定する係止爪２０ｂ，２０ｂ，２０ｃ，２０ｃを有している。送風ファン１８は、羽根１８ａと、この羽根１８ａの中心を回転自在に支持する外形が四角形状のフレーム１８ｂと、を有して構成されている。これら係止爪２０ｂ，２０ｂ，２０ｃ，２０ｃによって、送風ファン１８のフレーム１８ｂが係止されている。
【００４１】
カバー係止部２０ｄは、ファンカバー２１を位置決めする位置決めリブ２０ｅと、ファンカバー２１と係合してファンカバー２１を保持する保持部２０ｆと、を備えている。位置決めリブ２０ｅは、基部２０ｔから前方に突出して形成された複数のリブ２０ｅ１，２０ｅ２，２０ｅ３，２０ｅ４によって構成されている。
【００４２】
リブ２０ｅ１は、正面視において送風ファン１８の左側方に位置するとともに、鉛直方向に沿って延びて形成されている。リブ２０ｅ２は、リブ２０ｅ１に対して隙間ｓ１１を空けて形成され、鉛直方向に沿って水平方向（右方向）に延びてＬ字状に形成されている。リブ２０ｅ３は、リブ２０ｅ２に対して隙間ｓ１２を空けて形成され、水平方向に延びて直線状に形成されている。リブ２０ｅ４は、リブ２０ｅ３に対して隙間ｓ１３を空けて形成され、水平方向に沿って基部２０ｔまで延びて形成されている。
【００４３】
保持部２０ｆは、リブ２０ｅ１と左右方向において重ならない位置に形成された爪部２０ｆ１と、それぞれの隙間ｓ１１，ｓ１２，ｓ１３に形成される爪部２０ｆ２，２０ｆ３，２０ｆ４と、を有している。また、爪部２０ｆ２は、リブ２０ｅ１とリブ２０ｅ２との間において外側に離間して配置されている。爪部２０ｆ３は、リブ２０ｅ２とリブ２０ｅ３との間において外側に離間して配置されている。爪部２０ｆ４は、リブ２０ｅ３とリブ２０ｅ４との間において外側に離間して配置されている。
【００４４】
取込口２０ｇは、冷気の戻り口であって、格子状に形成され、基部２０ｔの下端に形成されている。また、取込口２０ｇは、保持部２０ｆの下方に位置するとともに、基部２０ｔに対して幅方向（左右方向）に細長く形成されている。
【００４５】
ファンカバー２１は、ファンベース２０から前方に突出して形成され、送風ファン１８と対向する位置に正面部２１ａが形成されている。この正面部２１ａの裏面には、送風ファン１８から吐出された冷気が当たるようになっている。また、正面部２１ａは、左右方向（幅方向）の中央に、送風ファン１８と対向する円形の凹部２１ｂが形成されている。この凹部２１ｂは、後方に向けて突出するように（凹面が前方に向くように）形成されている（図３参照）。この凹部２１ｂを形成することで、送風ファン１８から吐出された冷気を径方向外側に向けて円滑に向きを変えることができ、送風効率が損なわれるのを抑えることができる。
【００４６】
また、正面部２１ａの外周縁部からファンベース２０に向けて延びる外周部２１ｃが形成されている。なお、外周部２１ｃの長さは、ファンカバー２１をファンベース２０に取り付けたときに、送風ファン１８と凹部２１ｂとの間に所定の隙間ｓ２０（図３参照）が形成できる程度である。また、所定の隙間ｓ２０とは、送風ファン１８からの冷気を径方向外側に向けて吐出させることができる距離である。
【００４７】
また、正面部２１ａは、凹部２１ｂの上方に矩形状の切欠部２１ｄが上向きに開口するように形成されている。また、正面部２１ａには、冷気が吐出される複数の吐出口２１ｅ１，２１ｅ２，２１ｆ，２１ｇ，２１ｇ，２１ｈ，２１ｉ，２１ｉが形成されている。吐出口２１ｅ１，２１ｅ２は、互いに同じ高さ位置である。吐出口２１ｆ，２１ｇ，２１ｇは、互いに同じ高さ位置である。吐出口２１ｈ，２１ｉ，２１ｉは、互いに同じ高さ位置である。
【００４８】
冷気導入部材２２は、製氷室４０（図２参照）と上段冷凍室５０（図２参照）とに冷気を分配する冷気分配部２２ａを備えている。また、冷気導入部材２２は、製氷室４０（図２参照）に冷気を導入する第１冷気導入路２２ｂと、上段冷凍室５０（図２参照）に冷気を導入する第２冷気導入路２２ｃと、を備えている。
【００４９】
冷気分配部２２ａは、前記切欠部２１ｄと接続される矩形状の筒体２２ａ１と、筒体２２ａ１の上端に製氷室４０と上段冷凍室５０とに冷気の向きを変えて分配する風向板２２ａ２（冷気分配量設定板）とを有している。
【００５０】
第１冷気導入路２２ｂは、筒体２２ａ１の上端から左側方（製氷室４０側）に向けて延び、そして前方に向けて延びる冷気案内路２２ｂ１を有している。この冷気案内路２２ｂ１は、先端で二又に分岐し、幅広形状の風路２２ｂ２と、風路２２ｂ２よりも幅狭の風路２２ｂ３と、を有している。また、風路２２ｂ２の先端は、風路２２ｂ３の先端よりも高い位置に設定されている。また、風路２２ｂ２には、該風路２２ｂ２の先端よりも低く設定された風路２２ｂ４が分岐して形成されている。
【００５１】
このように、風路２２ｂ２を構成することで、冷気が製氷室４０の上端から前方に向けて吐出される。また、風路２２ｂ３，２２ｂ４によって、冷気が風路２２ｂ２よりも低い位置から製氷室４０に向けて吐出される。
【００５２】
第２冷気導入路２２ｃは、筒体２２ａ１の上端から前方（仕切部材１６（図３参照））に沿って延びる冷気案内路２２ｃ１を有している。この冷気案内路２２ｃ１の風路幅は、仕切部材１６の幅とほぼ同じに形成されている。また、冷気案内路２２ｃ１には、上段冷凍室５０（図２参照）に対向する面に切欠き２２ｃ２が形成されている。すなわち、冷気案内路２２ｃ１は、該冷気案内路２２ｃ１の先端に冷気の流れを遮断する側壁２２ｃ３と、製氷室４０（図２参照）側への冷気の流れを遮断する側壁２２ｃ４と、が形成されている。このように、切欠き２２ｃ２によって、冷気案内路２２ｃ１の上段冷凍室５０側の側壁が他の側壁２２ｃ３，２２ｃ４よりも低く形成されているので、冷気案内路２２ｃ１に導入された（分配された）冷気が、切欠き２２ｃ２を介して上段冷凍室５０（図２参照）に向けて吐出される。
【００５３】
図５は、製氷室と上段冷凍室に冷気を分配する冷気導入部材を示す上面図である。
【００５４】
図５に示すように、冷気導入部材２２は、第１冷気導入路２２ｂの流路幅Ｗ１が、第２冷気導入路２２ｃの流路幅Ｗ２よりも広く形成されている。このように、第１冷気導入路２２ｂの流路幅Ｗ１を広くすることで、製氷室４０への冷気の導入量を増やすことができる。なお、流路幅Ｗ１，Ｗ２の比率を変えることで、製氷室４０と上段冷凍室５０への冷気の分配量を容易に調整することができる。また、風向板２２ａ２の形状を変更することで、製氷室４０と上段冷凍室５０への冷気の分配量を調整することができる。
【００５５】
冷気分配部２２ａは、上面視（平面視）において、風向板２２ａ２が筒体２２ａ１の開口の略半分を覆い隠すように形成されている。風向板２２ａ２は、板材２２ａ３，２２ａ４を折り曲げて形成したものである。板材２２ａ３は、第１冷気導入路２２ｂに向けて上昇するように傾斜して配置されている。板材２２ａ４は、手前側に向けて上昇するように傾斜して配置されている。板材２２ａ３によって、冷気が第１冷気導入路２２ｂに向けて案内され、板材２２ａ４によって、冷気が第２冷気導入路２２ｃに向けて案内される。
【００５６】
次に、上段冷凍室５０内に備えた下部貯蔵容器５３及び上部貯蔵容器５４の構成及び引き出し動作に関して、図６〜図１０を用いて説明する。
【００５７】
図６は、図１のＢ−Ｂ線断面図である。図７は、図６に示す上段冷凍室扉５及び扉枠５２ａ，５２ｂを除いた状態で、上段冷凍室５０内を示す斜視図である。図８は、図６に示す下部貯蔵容器５３、上部貯蔵容器５４、トレイ部材５５等の分解斜視図である。
【００５８】
図６，図８に示すように、上段冷凍室５０内には、下部貯蔵容器５３と上部貯蔵容器５４とが設けられる。このとき、下部貯蔵容器５３の前後方向の寸法は、上部貯蔵容器５４の前後方向の寸法よりも大きく構成される。即ち、下部貯蔵容器５３の上部開口は、上部貯蔵容器５４によって覆われない部分を有する構成とした。
【００５９】
また、下部貯蔵容器５３の深さ寸法は、上部貯蔵容器５４の深さ寸法よりも大きくした。比較的高さの小さい食品は上部貯蔵容器５４内に収納し、高さの大きい食品は下部貯蔵容器５３内に収納する等、使用者は使い分けができる。
【００６０】
下部貯蔵容器５３は、上段冷凍室扉５に設けられた扉枠５２ａ，５２ｂにより左右の底部を支持される。
【００６１】
また、左右の扉枠５２ａ，５２ｂは、それぞれ仕切部材１６の上段冷凍室５０側の側面下部に設けられたレール部５１ａ、及び、内箱１１の右側の側面下部に設けられたレール部５１ｂによって、前後方向に摺動可能に支持される。
【００６２】
また、図６，図８に示すように、下部貯蔵容器５３の上部開口の周縁部には、摺動縁部５３ａ，５３ｂが形成される。
【００６３】
上部貯蔵容器５４は、その左右一方の側面の下部に、凸形状の第一摺動部５４ａ１と第一摺動部５４ａ２とが前後に設けられ、また、他方の側面の下部に、第一摺動部５４ｂ１と第一摺動部５４ｂ２とが前後に設けられる。これら第一摺動部５４ａ１，５４ａ２，５４ｂ１，５４ｂ２は、それぞれ下部貯蔵容器５３の摺動縁部５３ａ，５３ｂにより支持され、上部貯蔵容器５４は前後方向に摺動可能とした。
【００６４】
また、上部貯蔵容器５４は、その左右一方の側面の上部に、凸形状の第二摺動部５４ｃ１と第二摺動部５４ｃ２とが前後に設けられ、また、他方の側面の上部に、第二摺動部５４ｄ１と第二摺動部５４ｄ２とが設けられる。第二摺動部５４ｃ１，５４ｃ２は、仕切部材１６に設けられたレール部５１ｃにより前後方向に摺動可能に支持される。第二摺動部５４ｄ１，５４ｄ２は、内箱１１に設けられたレール部５１ｄにより前後方向に摺動可能に支持される。
【００６５】
尚、本実施の形態では、貯蔵室を左右に区画するための仕切部材１６に設けたレール部５１ｃによって、第二摺動部５４ｃ１，５４ｃ２を摺動可能に支持する構成としたが、この構成に限定する必要はない。例えば、断熱仕切部材１７の上段冷凍室５０側の面（上段冷凍室５０の天井面）に、レール部５１ｃ相当の部品を吊り下げて取り付け、上方から支持してもよい。また、上段冷凍室５０の背部の内箱１１Ａ若しくはファンベース２０にレール部５１ｃ相当の部品を取り付け、後方から支持してもよい。
【００６６】
また、上部貯蔵容器５４の前後左右の壁の内、前壁５４ｅの一部の高さ寸法を低くし手掛部５４ｅ１を形成した。これにより、上部貯蔵容器５４を引き出す際の使用者の指を入り易くし、使い勝手を向上した。
【００６７】
尚、本実施の形態では、前壁５４ｅを部分的に低くして手掛部５４ｅ１を設けた構成としたが、この構成に限定する必要はない。例えば、前壁５４ｅの上面フランジ部（図示せず）に凹部を形成し、その凹部を手掛部とする構成でもよい。
【００６８】
また、上部貯蔵容器５４内には薄板のトレイ部材５５が設けられる。このトレイ部材５５は金属性であり、アルミニウムやステンレス等の熱伝導性の高い材料が好ましい。このとき、上部貯蔵容器５４は深さが小さく、また、冷気導入部２２からの冷気が直接送られるため、下部貯蔵容器５３よりも冷却効率が高いため、急速冷却室として使用することができる。
【００６９】
また、上部貯蔵容器５４の底面には、複数の孔部（図示せず）が設けられていてもよい。この孔部が有ることで、上部貯蔵容器５４の貯蔵空間と、下部貯蔵容器５３の貯蔵空間とが連通し、上部貯蔵容器５４内に流入した冷気を孔部を介して下部貯蔵容器５３内に導くことができる。
【００７０】
さらに、トレイ部材５５は、上記孔部（図示せず）を上方から覆うように設けられている。これにより、上部貯蔵容器５４内に流入した冷気は、トレイ部材５５を介して間接的に伝熱され、下部貯蔵容器５３内を間接冷却することができる。
【００７１】
次に、図９，図１０を用いて、上段冷凍室扉５の全開時及び、上段冷凍室扉５の閉鎖時の、上部貯蔵容器５４の摺動・位置の説明をする。図９は、図１に示す冷蔵庫１の上段冷凍室扉５を開放した状態の側面図である。図１０は、図１に示す冷蔵庫１の上段冷凍室扉５を閉鎖した状態で且つ側板１ｂを透過した状態の側面図である
図９（ａ）〜図９（ｃ）は、上段冷凍室扉５を庫外に引き出した状態示す右側面図である。
【００７２】
図９（ａ）は、上段冷凍室扉５を開放した状態において、上部貯蔵容器５４と下部貯蔵容器５３との位置関係が第一基本位置の状態であることを示す。
【００７３】
この第一基本位置とは、第一摺動部５４ａ１，５４ｂ１が、第一基本位置に位置規制するための前側の第一凸部５３ａ１，５３ｂ１と、後側の第二凸部５３ａ２，５３ｂ２との間にある状態をいう。このとき、第一摺動部５４ａ２，５４ｂ２が摺動縁部５３ａ，５３ｂにより支持されるため、第二摺動部５４ｃ２，５４ｄ２はレール部５１ｃ，５１ｄによって支持されていなくても、上部貯蔵容器５４を水平状態に保つことができる。
【００７４】
第一基本位置の状態では、下部貯蔵容器５３の手前部分の貯蔵空間に、高さがある食品を収納することが可能である。従って、高さが比較的小さい食品は上部貯蔵容器５４内若しくは、下部貯蔵容器５３の奥側に収納し、また、高さが比較的大きい食品は下部貯蔵容器５３の手前側に収納することができ、使用者の用途に合わせた使い勝手のよい貯蔵室を提供できる。
【００７５】
第一基本位置用の前方にある第一凸部５３ａ１，５３ｂ１は、前方の傾斜より後方の傾斜の方が大きい。また、後方にある第二凸部５３ａ２，５３ｂ２は、後方の傾斜より前方の傾斜の方が大きいので、上部貯蔵容器５４を第一基本位置に導くときは抵抗が少ない。また、上部貯蔵容器５４を第一基本位置に導いた後は、その第一基本位置よりも前方もしくは後方に摺動させるときの抵抗が大きいため、第一基本位置の状態を維持しやすい。
【００７６】
また、第一基本位置において、下部貯蔵容器５３の前壁５３ｅと上部貯蔵容器５４の前壁５４ｅとの間の寸法Ｄ１は、下部貯蔵容器５３の前壁５３ｅの高さ寸法Ｈ１よりも大きくした。これにより、下部貯蔵容器５３の貯蔵空間の間口を広く確保することで、下部貯蔵容器５３への食品の出し入れがし易くなり、使い勝手を向上できる。
【００７７】
なお、第一摺動部５４ａ１，５４ｂ１を第一基本位置に位置規制するため手段としては、第一摺動部５４ａ１，５４ｂ１の移動を規制する溝部が形成されれば良い。したがって、上述の第一凸部５３ａ１，５３ｂ１や第二凸部５３ａ２，５３ｂ２を設けずに、下部貯蔵容器５３に凹みを設けることで溝部を形成したものであっても構わない。
【００７８】
図９（ｂ） は、上部貯蔵容器５４と下部貯蔵容器５３の位置関係が第二基本位置であることを示す。即ち、上部貯蔵容器５４を、図９（ａ）に示す第一基本位置よりも更に前方に移動させ、上部貯蔵容器５４の全体が庫外に出ている状態である。
【００７９】
第二基本位置とは、第一摺動部５４ｂ１（５４ａ１）が、第二基本位置に位置規制するための第三凸部５３ｂ３（５３ａ３）よりも前方に位置した状態である。この第三凸部５３ｂ３（５３ａ３）は、後方の傾斜より前方の傾斜の方が大きいので、上部貯蔵容器５４を第二基本位置に導くときは抵抗が少ない。また、上部貯蔵容器５４を第二基本位置に導いた後は、その第二基本位置よりも後方に摺動させるときの抵抗が大きいため、第二基本位置の状態を維持しやすい。なお、この凸部５３ｂ３（５３ａ３）を設ける代わりに、第二基本位置の状態で支える部分の下部貯蔵容器５３を、他の部分よりも凹ませても良い。
【００８０】
第二基本位置の状態において、下部貯蔵容器５３の前壁５３ｅと上部貯蔵容器５４の前壁５４ｅとの間の寸法Ｄ２よりも、上部貯蔵容器５４の後端と冷蔵庫本体１の前端との間の寸法Ｄ３を大きくした。これにより、上部貯蔵容器５４の前端から後端までの全てが冷蔵庫本体１の外に出ているため、上部貯蔵容器５４内の全体を見ることが可能であるとともに食品を出し入れし易く、使い勝手が良い。また、下部貯蔵容器５３の前壁５３ｅと上部貯蔵容器５４の前壁５４ｅとの間の寸法Ｄ２を小さくしたことで、上段冷凍室扉５の開放時に下部貯蔵容器５３内への冷気侵入および下部貯蔵容器５３外への冷気流出を抑制できる。
【００８１】
図９（ｃ） は、上部貯蔵容器５４を、図９（ａ）に示す第一基本位置よりも後方に移動させた状態であり、下部貯蔵容器５３の前壁５３ｅと上部貯蔵容器５４の前壁５４ｅとの間の寸法Ｄ４は、図９（ａ）に示す寸法Ｄ１よりも大きい。
【００８２】
この状態のとき、上部貯蔵容器５４の左右側面の前後方向の後側に設けられた第一摺動部５４ａ２，５４ｂ２は、摺動縁部５３ａ，５３ｂよりも後方に位置しているため、何ら支持されていない状態になる。そこで、第二摺動部５４ｃ２を仕切部材１６に設けられたレール部５１ｃにより支持するとともに、第二摺動部５４ｄ２を内箱１１に設けられたレール部５１ｄにより支持することで（図６及び図７参照）、上部貯蔵容器５４は水平状態を保つことができる。
【００８３】
また、上部貯蔵容器５４の係止部５４ｇ（図６に示す）が、下部貯蔵容器５３の後壁に当接することにより、上部貯蔵容器５４の後方への移動量を制限し、上部貯蔵容器５４が脱落することを抑制する。
【００８４】
図９（ｃ）の状態では、第一基本位置よりも上部貯蔵容器５４を更に後方に移動させることで、下部貯蔵容器５３の前壁と上部貯蔵容器の前壁との間の寸法Ｄ４を大きくできる。即ち、上部貯蔵容器５４を第一基本位置よりも更に後方に移動できるため、下部貯蔵容器５３の奥部に収納された食品を取り出し易くでき、使い勝手を向上できる。
【００８５】
図１０（ａ），図１０（ｂ)は、上段冷凍室扉５を閉鎖した状態であって、上段冷凍室５０内の下部貯蔵容器５３、上部貯蔵容器５４、枠部材５２ｂを側面視した側面図である（仕切部材１６は省略している）。
【００８６】
図１０（ａ）は、下部貯蔵容器５３及び上部貯蔵容器５４が第一基本位置のときに、上段冷凍室扉５を閉鎖した状態を示す。この第一基本位置のまま、上段冷凍室扉５を前方に引き出して開放した場合、第一摺動部５４ａ１，５４ｂ１の前後方向の位置は、第一凸部５３ａ１，５３ｂ１と第二凸部５３ａ２，５３ｂ２との間で維持されるため、下部貯蔵容器５３及び上部貯蔵容器５４は第一基本位置の状態を維持したまま庫外に引き出すことができる（即ち、図９（ａ）に示す状態となる）。
【００８７】
また、上段冷凍室扉５を引き出して開放した後（即ち図９（ａ）の状態）、下部貯蔵容器５３及び上部貯蔵容器５４を第一基本位置のまま、上段冷凍室扉５を後方に移動させて閉鎖する場合、第一摺動部５４ａ１，５４ｂ１の前後方向の位置は、前方凸部第一ａ１，５３ｂ１と第二凸部５３ａ２，５３ｂ２との間で維持され、図１０（ａ）に示す状態にできる。
【００８８】
これにより、下部貯蔵容器５３の手前部分の貯蔵空間（下部貯蔵容器５３の前壁５３ｅと上部貯蔵容器５４の前壁５４ｅとの間）に、高さのある食品を収納できる空間Ａを形成できるとともに、高さの低い食品を収納できる空間Ｂ、その空間Ｂより高く空間Ａより低い空間Ｃのように、３種類の高さの収納空間を形成することができ、使い勝手を向上できる。
【００８９】
図１０（ｂ）は、下部貯蔵容器５３及び上部貯蔵容器５４が第二基本位置のときに、上段冷凍室扉５を閉鎖した状態を示す。この第二基本位置のまま、上段冷凍室扉５を前方に引き出して開放した場合、第一摺動部５４ａ１，５４ｂ１の位置は、第三凸部５３ａ３，５３ｂ３により後方に移動しないように維持されるため、下部貯蔵容器５３及び上部貯蔵容器５４は、第二基本位置の状態を維持したまま庫外に引き出すことができる（即ち、図９（ｂ）の状態となる）。これにより、上部貯蔵容器５４の全体を見ることが可能な状態を維持したまま、上段冷凍室扉５の開閉操作を行うことができるため、使い勝手が良い。また、下部貯蔵容器５３内に冷気導入部２２からの冷気を直接送ることが可能な状態を維持したままで、上段冷凍室扉５の開閉操作を行うことができる。
【００９０】
尚、図９（ｃ）に示す状態で、上段冷凍室扉５を閉鎖した場合、下部貯蔵容器５３及び上部貯蔵容器５４の前後位置は、図１０（ａ）に示す状態（即ち、第一基本位置）になる。その後、上段冷凍室扉５を引き出して開放すると、前述のとおり第一基本位置のまま引き出すことができるため、上段冷凍室扉５の開閉操作時に、使用者が上部貯蔵容器５４の位置を戻さずとも第一基本位置になるため、煩わしい操作が不要となる。
【００９１】
以上、本実施形態により、下部貯蔵容器５３の上部に、下部貯蔵容器５３よりも前後方向に短い上部貯蔵容器５４を摺動可能に備えた。これにより、１つの貯蔵室内において、３種類の高さの食品を上下の貯蔵容器に分けて収納することでき、使用者の用途に合わせた使い勝手のよい冷蔵庫を提供できる。
【００９２】
以上、本実施形態について図面を参照しながら説明したが、本実施形態は前記の内容に何ら限定されるものではない。したがって、本発明には、様々な変形例が含まれる。すなわち、前記の実施形態は本発明をわかりやすく説明するために詳細に説明したものであり、必ずしも説明したすべての構成を備えるものに限定されるものではない。
【００９３】
また、本実施形態では、冷凍室を冷却する冷却器９と、冷蔵室３０を冷却する冷却器３１とを分割して構成した場合を例に挙げて説明したが、従来のように、冷凍室の背面に、冷蔵室３０と冷凍室を冷却する冷却器を設ける構成であってよい。
【符号の説明】
【００９４】
１    冷蔵庫本体（断熱箱体）
５    上段冷凍室扉
９    冷却器（冷凍室冷却器）
１６  仕切部材
１７  断熱仕切部材
１７ａ  樋部
１８  送風ファン
２１  ファンカバー
２１ｓ  水抜孔
２２  冷気導入部材
２２ａ  冷気分配部
２２ｂ  第１冷気導入路
２２ｃ  第２冷気導入路
３０  冷蔵室
３１  冷却器（冷蔵室冷却器）
４０  製氷室（第１冷凍室、冷凍室）
５０  上段冷凍室（第２冷凍室、冷凍室）
５１ａ，５１ｂ，５１ｃ，５１ｄ  レール部
５２ａ，５２ｂ  扉枠
５３  下部貯蔵容器
５３ａ，５３ｂ  摺動縁部
５３ａ１，５３ｂ１  第一凸部
５３ａ２，５３ｂ２  第二凸部
５３ａ３，５３ｂ３  第三凸部
５３ｅ  下部貯蔵容器の前壁
５４  上部貯蔵容器
５４ａ１，５４ａ２，５４ｂ１，５４ｂ２  第一摺動部
５４ｃ１，５４ｃ２，５４ｄ１，５４ｄ２  第二摺動部
５４ｅ  上部貯蔵容器の前壁
５４ｅ１  手掛部
５４ｇ  係止部
５５  トレイ部材
６０  下段冷凍室（下部冷凍室、冷凍室）
６１  下段収納容器（ケース）
６１ａ  後端
７０  野菜室
１００  冷蔵庫
Ｆ    冷凍サイクル
Ｒ    冷気供給部材（冷気供給路）
【図１】
2020118343.tif 000003
【図２】
2020118343.tif 000004
【図３】
2020118343.tif 000005
【図４】
2020118343.tif 000006
【図５】
2020118343.tif 000007
【図６】
2020118343.tif 000008
【図７】
2020118343.tif 000009
【図８】
2020118343.tif 000010
【図９】
2020118343.tif 000011
【図１０】
2020118343.tif 000012